【手続補正書】
【提出日】平成20年4月18日(2008.4.18)
【手続補正１】
【補正対象書類名】明細書
【補正対象項目名】００１８
【補正方法】変更
【補正の内容】
【００１８】
図１に示すバインド装置１００は用紙処理装置の一例を構成し、コピー機や印刷装置から出力される記録紙（以下単に用紙３という）にパンチ処理をし、その後、所定の綴じ部品（消耗品）４３で綴じ処理をして排出する装置である。もちろん、所定の用紙３にパンチ孔３ａを穿孔してそのまま排紙する機能を備えた装置に適用してよい。バインド装置１００は装置本体部（筐体）１０１を有している。バインド装置１００は複写機や印刷装置（画像形成装置）等と並べて使用されることが好ましく、装置本体部１０１は、複写機や印刷装置等と同程度の高さを有している。
【手続補正２】
【補正対象書類名】明細書
【補正対象項目名】００２６
【補正方法】変更
【補正の内容】
【００２６】
パンチ処理部２０の下流側には、用紙保留手段の一例となるバインダ紙揃えユニット３０が配置され、パンチ処理部２０から排紙される複数枚の用紙３’のパンチ孔３ａの位置を揃えて一時保留（蓄積）するようになされる。用紙３’の各々には、所定の位置にパンチ孔３ａが穿孔されている。バインダ紙揃えユニット３０は、搬送路１１の搬送面を基準にして第２の俯角θ２を有する位置に用紙保留面を設定するように配置される。ここに用紙保留面とは、パンチ孔３ａが穿孔された用紙３’を保留（積層）する面をいう。この例では、俯角θ１と俯角θ２との関係がθ１＜θ２に設定される。この設定は装置本体部１０１の幅を縮小化するため、及び、この条件下で用紙３’を直線的に搬送するためである。
【手続補正３】
【補正対象書類名】明細書
【補正対象項目名】００２９
【補正方法】変更
【補正の内容】
【００２９】
この例で、バインド処理部４０は移動機構４１を有している。移動機構４１は、バインダ紙揃えユニット３０の用紙搬送方向と、上述した搬送路１１の搬送方向と直交する位置との間を往復回転するように移動する。バインド処理部４０は、バインダ（綴じ部品）カセット４２を有している。バインダカセット４２には、移動機構４１に受け渡すための複数個の綴じ部品４３が収納（セット）される。綴じ部品４３は、例えば、射出金型成形され、用紙束３”の厚みに応じた複数種類が準備される。
【手続補正４】
【補正対象書類名】明細書
【補正対象項目名】００３０
【補正方法】変更
【補正の内容】
【００３０】
上述の移動機構４１は、例えば、搬送路１１の搬送方向と直交する位置でバインダカセット４２から１個の綴じ部品４３を引き抜いて保持し、この状態で、バインダ紙揃えユニット３０の用紙搬送方向を見通せる位置に回転する。この位置で、バインド処理部４０は、バインダ紙揃えユニット３０から、パンチ孔３ａが位置決めされた用紙束３”を受入れ、そのパンチ孔３ａに綴じ部品４３を嵌合して綴じ処理を実行する（自動製本機能）。
【手続補正５】
【補正対象書類名】明細書
【補正対象項目名】００３４
【補正方法】変更
【補正の内容】
【００３４】
続いて、本発明に係る用紙処理方法について説明する。図２Ａ〜Ｄは、バインド装置１００の機能例を示す工程図である。  
図２Ａに示す用紙３は、当該バインド装置１００の上流側から給紙されたものである。パンチ孔３ａが開孔されていないものである。用紙３は、図１に示した搬送路１１の所定の位置に向けて搬送され、搬送路１１の所定の位置で減速及び停止される。その後、搬送路１１から搬送路１２に用紙３の搬送経路が切り換えられ、かつ、当該用紙３を逆方向に送出されてパンチ処理部２０に搬送される。
【手続補正６】
【補正対象書類名】明細書
【補正対象項目名】００３５
【補正方法】変更
【補正の内容】
【００３５】
パンチ処理部２０では、図２Ｂに示すように用紙３の一端に所定の数の綴じ用のパンチ孔３ａが穿孔される。パンチ孔３ａが穿孔された用紙３’は、バインダ紙揃えユニット３０へ搬送される。バインダ紙揃えユニット３０では、予め設定された用紙枚数に到達すると、用紙束３”のパンチ孔３ａの位置が揃えられ、バインド処理部４０と協調して綴じ部品４３をそのパンチ孔３ａへ嵌合するようになされる。これにより、綴じ部品４３で嵌合された冊子９０を得ることができる。
【手続補正７】
【補正対象書類名】明細書
【補正対象項目名】００５０
【補正方法】変更
【補正の内容】
【００５０】
この例で、ソレノイド３０１の往復運動を左右のリンク機構３０５ａ，３０５ｂに伝達するようになされる。リンク機構３０５ａにはガイドフレーム３０３ａが取り付けられ、リンク機構３０５ｂにはガイドフレーム３０３ｂが取り付けられる。各々のガイドフレーム３０３ａ、３０３ｂは、用紙３’の紙面の上方向に突出するＲ曲面（Ｒ）形状を有しており、用紙保留部３２に用紙３’をガイドするようになされる。上述のソレノイド３０１は、左右のリンク機構３０５ａ、３０５ｂを介してガイドフレーム３０３ａ、３０３ｂを駆動して押え部材３０４ａ、３０４ｂを作動するようになされる。
【手続補正８】
【補正対象書類名】明細書
【補正対象項目名】００６１
【補正方法】変更
【補正の内容】
【００６１】
規制孔付き部材８０２は、第１の連接棒８０３及び第２の連接棒８０４の移動を規制するクランプ開閉規制用の細長い開口部８０６を有している。開口部８０６には、第１の連接棒８０３及び第２の連接棒８０４の端部を露出するように組み立てられる。
【手続補正９】
【補正対象書類名】明細書
【補正対象項目名】００６２
【補正方法】変更
【補正の内容】
【００６２】
第２の連接棒８０４には、図６Ａに示すようなクシ型の上部押え部材８４ａが取り付けられ、第１の連接棒８０３には、クシ型の下部押え部材８４ｂが取り付けられる。クシ型の上部押え部材８４ａは、Ｕ字形状に切り落とした、クシ歯部位を有している。クシ歯部位の配置ピッチは、用紙束３”のパンチ孔３ａの配置ピッチに等しくなされている。
【手続補正１０】
【補正対象書類名】明細書
【補正対象項目名】００６５
【補正方法】変更
【補正の内容】
【００６５】
モータ８６は、左側面部位の内側に設けられたモータ取り付け領域に取り付けられる。モータ８６はギヤユニット８８に係合され、モータ回転数を所定の歯車比により変換し、モータ回転力をカム８７ａ及び８７ｂに伝達するようになされる。ギヤユニット８８には、一方のカム８７ｂが取り付けられている。カム８７ｂはカム連動部材８０９を介して他方のカム８７ａに取り付けられている。上述した可動部材８０１ａ又は８０１ｂにはカム作用部位を有している。各々のクランプ部材８２ａ及び８２ｂにおいて、可動部材８０１ａ又は８０１ｂのカム作用部位にカム８７ａ、８７ｂが押圧することで、各々のクランプ部材８２ａ及び８２ｂの挟み状部材８０１を同期して開閉するようになされる。
【手続補正１１】
【補正対象書類名】明細書
【補正対象項目名】００６８
【補正方法】変更
【補正の内容】
【００６８】
また、本体基板８１の前面部位の内側には整列ピン８５ａ，８５ｂが可動自在に取り付けられ、綴じ処理前に、用紙束３”のパンチ孔３ａに、整列ピン８５ａ，８５ｂを勘合してその位置を揃えるようになされる。整列ピン８５ａ，８５ｂの各々の先端は、円錐形状を有している。例えば、上部押え部材８４ａと下部押え部材８４ｂとの間には、図６Ｂに示すように整列ピン８５ａ，８５ｂを挿入する前に、用紙束３”が挟み込まれて保持される。
【手続補正１２】
【補正対象書類名】明細書
【補正対象項目名】００７４
【補正方法】変更
【補正の内容】
【００７４】
移動ステージ７５ａ，７５ｂの上部には、左端用及び右端用の紙寄せ部材７２ａ，７２ｂが取り付けられる。紙寄せ部材７２ａ，７２ｂは例えば、鉄板をコ字状に折り曲げ加工したものが使用される。紙寄せ部材７２ａ，７２ｂの上流側には、紙案内用に上端部が跳ね上がった形状（フラップ）を有し、かつ、下端部は反対に垂下した形状を有している。これらの形状は、パンチ処理部２０から送られてくる用紙３’をパドルローラユニット３７と共にクランプ移動機構８０へ案内するために設けられる。
【手続補正１３】
【補正対象書類名】明細書
【補正対象項目名】００８５
【補正方法】変更
【補正の内容】
【００８５】
この例で、図５に示した連接棒８０４に取り付けられたクシ型の上部押え部材８４ａと、連接棒８０３に取り付けられたクシ型の下部押え部材８４ｂとが用紙束３”を保持する。このとき、図６Ａに示した長い歯部位８０７は、その紙端部よりも前方に飛び出す位置で用紙束３”を挟み込み、短い歯部位８０８は、その紙端部よりも手前に控える位置で、用紙束３”を挟み込むようになされる。また、長い歯部位８０７がシャッター８３の開口部位に配されることで、上部押え部材８４ａ及び下部押え部材８４ｂの保持固定精度及びシャッター８３の閉鎖精度を向上させることができる。
【手続補正１４】
【補正対象書類名】明細書
【補正対象項目名】００８８
【補正方法】変更
【補正の内容】
【００８８】
この例では、用紙束３”のパンチ孔３ａの位置を揃えるために、シャッター８３を閉じた状態で、クランプ部材８２ａ，８２ｂが開放され、その後、整列ピン８５ａ，８５ｂが挿入される。
【手続補正１５】
【補正対象書類名】明細書
【補正対象項目名】００９０
【補正方法】変更
【補正の内容】
【００９０】
このとき、各々のクランプ部材８２ａ及び８２ｂにおいて、可動部材８０１ａ又は８０１ｂのカム作用部位にカム８７ａ及び８７ｂの突起部が押圧されることで、各々のクランプ部材８２ａ及び８２ｂの挟み状部材８０１を同期して開放するようになされる。
【手続補正１６】
【補正対象書類名】明細書
【補正対象項目名】００９２
【補正方法】変更
【補正の内容】
【００９２】
この結果、連接棒８０４に取り付けられたクシ型の上部押え部材８４ａと、連接棒８０３に取り付けられたクシ型の下部押え部材８４ｂとが用紙束３”を自由開放する。これらのクランプ部材８２ａ，８２ｂが用紙束３”を自由開放状態としたときに、シャッター８３が閉鎖されていることにより、用紙束３”の自然落下をストップすることができる。
【手続補正１７】
【補正対象書類名】明細書
【補正対象項目名】００９３
【補正方法】変更
【補正の内容】
【００９３】
そして、モータ８９が駆動され、図示しないリンク機構により、モータ８９の正回転運動がピン上昇運動に変換されて、整列ピン８５ａを用紙束３”のパンチ孔３ａに勘合するようになされる。このとき、図９に示したサイドジョーガー７０は、用紙束３”の両側を揺らして整列ピン８５ａ，８５ｂを挿入し易くするようになされる。これにより、用紙束３”のパンチ孔３ａの位置を揃えることができる。
【手続補正１８】
【補正対象書類名】明細書
【補正対象項目名】００９５
【補正方法】変更
【補正の内容】
【００９５】
この例では、用紙束３”のパンチ孔３ａが揃って、整列ピン挿入状態で再びクランプ・ロック状態にする。その後、用紙束３”から整列ピン８５ａ，８５ｂを抜く場合を例にとる。
【手続補正１９】
【補正対象書類名】明細書
【補正対象項目名】００９７
【補正方法】変更
【補正の内容】
【００９７】
このとき、各々のクランプ部材８２ａ及び８２ｂにおいて、可動部材８０１ａ又は８０１ｂのカム作用部位にカム８７ａ及び８７ｂの突起部が非押圧状態となされることで、各々のクランプ部材８２ａ及び８２ｂの挟み状部材８０１を同期して閉鎖するようになされる。
【手続補正２０】
【補正対象書類名】明細書
【補正対象項目名】００９９
【補正方法】変更
【補正の内容】
【００９９】
その後、モータ８９が駆動され、図示しないリンク機構により、モータ８９の逆回転運動が降下運動に変換されて、用紙束３”のパンチ孔３ａから整列ピン８５ａを引き抜くようになされる。これにより、綴じ処理前に、用紙束３”のパンチ孔３ａの位置を揃えて保持固定することができる。
【手続補正２１】
【補正対象書類名】明細書
【補正対象項目名】０１０１
【補正方法】変更
【補正の内容】
【０１０１】
続いて、クランプ移動機構８０の下降移動調整機能について説明する。この実施例で、クランプ移動機構８０にはクランプ位置決め機能及び下降移動調整機能が備えられている。クランプ位置決め機能とは、基準枚数の用紙束３”を保持する位置を決める機能をいう。下降移動調整機能とは、用紙束３”が基準枚数となる場合、それよりも少ない薄い枚数の場合、それよりも多い厚い枚数の場合において、用紙搬送中心位置を綴じ部品４３の綴じ中心位置に合わせ込む機能をいう。以下で、この３つの場合を説明する。
【手続補正２２】
【補正対象書類名】明細書
【補正対象項目名】０１０３
【補正方法】変更
【補正の内容】
【０１０３】
図１３Ａに示すクランプ移動機構８０にはクランプ位置決め用の開口部８１３が備えられる。開口部８１３は、瓶断面形状を有している。この開口部８１３で瓶の首部に相当する部分に連接棒８０４が落ち込むことで、クランプ位置が決められるようになっている。
【手続補正２３】
【補正対象書類名】明細書
【補正対象項目名】０１０５
【補正方法】変更
【補正の内容】
【０１０５】
クランプ部材８２ａ、８２ｂは、基準枚数の用紙束３”を保持し、図５に示した本体基板８１に対し、用紙束３”を保持した状態で用紙搬送方向に沿って下流側に移動する場合である。この場合は、用紙搬送中心位置と、綴じ部品４３の綴じ中心位置とが一致するように設計されている。ここに用紙搬送中心位置とは、用紙束３”の厚み方向でその厚みを１／２に分割する位置をいう。また、綴じ中心位置とは、綴じ部品４３の背骨の位置をいう。従って、用紙束３”が基準枚数となる場合は、下降移動調整が省略される。
【手続補正２４】
【補正対象書類名】明細書
【補正対象項目名】０１０６
【補正方法】変更
【補正の内容】
【０１０６】
この例では、バインド処理部４０が提供する、図１３Ｂに示すような半綴じ状態の綴じ部品４３の中央に向けて、クランプ移動機構８０が用紙束３”をクランプした状態を維持して、クランプ部材８２ａ、８２ｂが降下する。クランプ部材８２ａ、８２ｂは、支点軸部材８０５のホームポジションを基準にして、図中に示す離隔距離Ｌ１だけ綴じユニット側へ降下（移動）する。
【手続補正２５】
【補正対象書類名】明細書
【補正対象項目名】０１０７
【補正方法】変更
【補正の内容】
【０１０７】
このクランプ部材８２ａ、８２ｂの降下中、用紙搬送中心位置と綴じ中心位置とが一致するようにクランプ移動機構８０が動作する。その後、半綴じ状態の綴じ部品４３の中央に用紙束３”のパンチ孔３ａが到達すると、バインド処理部４０によって、綴じ部品４３を綴じ処理するようになされる。これにより、用紙束３”のパンチ孔３ａを綴じ部品４３で綴じ処理できるようになる。
【手続補正２６】
【補正対象書類名】明細書
【補正対象項目名】０１０９
【補正方法】変更
【補正の内容】
【０１０９】
そこで、補正用開口部８１４が薄い枚数時の用紙束３”の用紙搬送中心位置から基準枚数時の用紙搬送中心位置に補正するように機能する。補正用開口部８１４は、その瓶断面形状を利用して用紙束先端を右側から左側へシフトするように機能する。この補正用開口部８１４の機能によって、図１４Ｂに示すような半綴じ状態の綴じ部品４３の中央に向けて、薄い枚数時の用紙束３”の用紙搬送中心位置から基準枚数時の用紙搬送中心位置に姿勢を変えながら、クランプ部材８２ａ、８２ｂが降下する。このクランプ部材８２ａ、８２ｂが降下完了した時点で、薄い枚数時の用紙束３”の用紙搬送中心位置と綴じ中心位置とが一致するようにクランプ移動機構８０が動作する。その後、図１３Ｂと同様にして、綴じ部品４３を綴じ処理するようになされる。これにより、基準枚数よりも薄い枚数の用紙束３”である場合でも、用紙束３”を綴じ処理できるようになる。
【手続補正２７】
【補正対象書類名】明細書
【補正対象項目名】０１１１
【補正方法】変更
【補正の内容】
【０１１１】
そこで、補正用開口部８１４は、厚い枚数時の用紙束３”の用紙搬送中心位置から基準枚数時の用紙搬送中心位置に補正するように機能する。補正用開口部は、その瓶断面形状を利用して、用紙束先端を左側から右側へシフトするように機能する。この補正用開口部８１４の機能によって、図１５Ｂに示すような半綴じ状態の綴じ部品４３の中央に向けて、厚い枚数時の用紙束３”の用紙搬送中心位置から基準枚数時の用紙搬送中心位置に姿勢を変えながら、クランプ部材８２ａ、８２ｂが降下する。このクランプ部材８２ａ、８２ｂが降下完了した時点で、厚い枚数時の用紙束３”の用紙搬送中心位置と綴じ中心位置とが一致するようにクランプ移動機構８０が動作する。その後、図１４Ｂと同様にして、綴じ部品４３を綴じ処理するようになされる。これにより、基準枚数よりも厚い枚数の用紙束３”である場合でも、用紙束３”を綴じ処理できるようになる。
【手続補正２８】
【補正対象書類名】明細書
【補正対象項目名】０１１２
【補正方法】変更
【補正の内容】
【０１１２】
続いて、バインダ紙揃えユニットの制御系の構成例について説明する。図１６は、バインダ紙揃えユニット３０の制御系の構成例を示すブロック図である。  
図１６に示す制御部５０にはソレノイド駆動部３５、モータ駆動部３６、排紙ローラ駆動部１２２及びモータ駆動部１８０〜１８３が接続されている。  
ソレノイド駆動部３５は駆動手段の一例であり、紙進入時、左右の押え部材３０４ａ，３０４ｂによる押え込み機能を開放し、当該押え部材３０４ａ，３０４ｂが用紙３’を用紙保留部３２へガイドするための走行ガイドとして機能するように回動可能ガイド部３４ａ，３４ｂを制御する。この制御によって、回動可能ガイド部３４ａ，３４ｂは、用紙進入時、両側の押え部材３０４ａ，３０４ｂを開放して、用紙保留部３２へガイドするための走行ガイドとなる。
【手続補正２９】
【補正対象書類名】明細書
【補正対象項目名】０１２８
【補正方法】変更
【補正の内容】
【０１２８】
このように、綴じ部品掴み部４１ｂは、図１８Ａで示す最下部から図１８Ｂで示す最上部まで移動可能な構成となっている。この綴じ部品掴み部４１ｂの上下移動制御は、図２０に示す制御部５０によりモータ制御信号Ｓ４１に基づいて掴み部上下用モータ４５ｂを駆動して、掴み部用カム４１ｇを回転させることにより行われる。
【手続補正３０】
【補正対象書類名】明細書
【補正対象項目名】０１３７
【補正方法】変更
【補正の内容】
【０１３７】
次に、バインダカセット４２の構成例について説明する。図２１は、バインダカセット４２の外観の構成例を示す斜視図である。  
図２１に示すバインダカセット４２は、消耗品収納手段の一例を構成し、綴じ部品４３を収納するものである。バインダカセット４２は、筐体状の綴じ部品収納部４２ａと、その把手４２ｂを備えて構成される。バインダカセット４２は、把手４２ｂによりバインド装置１００に対して装着（取り付け）及び脱着（取り外し）可能な形態を有している。綴じ部品収納部４２ａの下面部には図２２に示すような取り出し口４２ｃが備えられる。
【手続補正３１】
【補正対象書類名】明細書
【補正対象項目名】０１６４
【補正方法】変更
【補正の内容】
【０１６４】
これらを制御条件にして、まず、バインド処理部４０では、綴じ部品４３の第１フォーミングを行った後、図２８Ａに示す移動機構４１を用紙綴じ位置に移動させる。このとき、移動機構４１は、半綴じ状態の綴じ部品４３の中央を上に向けている。一方、図示しないバインダ紙揃えユニット３０では、図１３に示したクランプ移動機構８０のクランプ位置決め機能及び下降移動調整機能を利用して、用紙束３”がクランプ部材８２ａ，８２ｂにより保持されて降下される。
【手続補正３２】
【補正対象書類名】明細書
【補正対象項目名】０１６７
【補正方法】変更
【補正の内容】
【０１６７】
その後、図２８Ｂに示すように図示しないバインダ紙揃えユニット３０により用紙束３”を綴じ部品４３に対して移動させる。この例では、バインド処理部４０が提供する半綴じ状態の綴じ部品４３の中央に向けて、クランプ移動機構８０が用紙束３”をクランプした状態を維持して、クランプ部材８２ａ、８２ｂが降下する。
【手続補正３３】
【補正対象書類名】明細書
【補正対象項目名】０１６８
【補正方法】変更
【補正の内容】
【０１６８】
クランプ部材８２ａ、８２ｂは、支点軸部材８０５のホームポジションを基準にして、図１３Ｂに示したように離隔距離Ｌ１だけバインド処理部側へ降下（移動）する。このクランプ部材８２ａ、８２ｂの降下中、用紙搬送中心位置と綴じ中心位置とが一致するようにクランプ移動機構８０が動作する。
【手続補正３４】
【補正対象書類名】明細書
【補正対象項目名】０１６９
【補正方法】変更
【補正の内容】
【０１６９】
その後、半綴じ状態の綴じ部品４３の中央に用紙束３”のパンチ孔３ａが到達すると、移動機構４１では、図２８Ｃに示すように、綴じ爪４１ｋを閉じ、用紙束３”の各パンチ孔３ａに通してリング部４３ｂを完全に閉じ、綴じ部品４３により用紙束３”を綴じ処理するようになされる。モータ駆動部４４ｄは、モータ制御信号Ｓ４３に基づいてモータ４５ｄを駆動する。モータ４５ｄは、制御部５０からのモータ制御信号Ｓ４３に基づいて綴じ爪４１ｋを開閉駆動する。
【手続補正３５】
【補正対象書類名】明細書
【補正対象項目名】０１７２
【補正方法】変更
【補正の内容】
【０１７２】
この例では、クランプ移動機構８０が冊子９０をクランプした状態を維持して、クランプ部材８２ａ、８２ｂが上昇する。クランプ部材８２ａ、８２ｂは、支点軸部材８０５のホームポジションに復帰する。図１３Ｂに示した離隔距離Ｌ１だけパンチ処理部側へ上昇（待避）する。
【手続補正３６】
【補正対象書類名】明細書
【補正対象項目名】０１８７
【補正方法】変更
【補正の内容】
【０１８７】
【図１】本発明に係る実施の形態としての用紙処理装置を応用したバインド装置１００の構成例を示す断面の概念図である。
【図２】（Ａ）〜（Ｄ）は、バインド装置１００の機能例を示す工程図である。
【図３】バインダ紙揃えユニット３０、移動機構４１及びバインダカセット４２の配置例を示す概略図である。
【図４】バインダ紙揃えユニット３０の構成例を示す斜視図である。
【図５】バインダ紙揃えユニット３０におけるクランプ移動機構８０の構成例を示す斜視図である。
【図６】（Ａ）〜（Ｃ）はクシ型の押え部材８４ａの構成例及びその動作例を示す図である。
【図７】サイドジョーガー７０の構成例を示す斜視図である。
【図８】上面から見たサイドジョーガー７０の構成例を示す図である。
【図９】サイドジョーガー７０の動作例を示す一部断面の正面図である。
【図１０】クランプ移動機構８０における用紙束整列時の動作例（その１）を示す正面図である。
【図１１】クランプ移動機構８０における用紙束整列時の動作例（その２）を示す正面図である。
【図１２】クランプ移動機構８０における用紙束整列時の動作例（その３）を示す正面図である。
【図１３】（Ａ）及び（Ｂ）は、クランプ移動機構８０の下降移動調整例（基準枚数時）を示す概念図である。
【図１４】（Ａ）及び（Ｂ）は、クランプ移動機構８０の下降移動調整例（薄い枚数時）を示す概念図である。
【図１５】（Ａ）及び（Ｂ）は、クランプ移動機構８０の下降移動調整例（厚い枚数時）を示す概念図である。
【図１６】バインダ紙揃えユニット３０の制御系の構成例を示すブロック図である。
【図１７】（Ａ）及び（Ｂ）は、バインド処理部４０における移動機構４１の構成例を示す斜視図である。
【図１８】（Ａ）及び（Ｂ）は、移動機構４１の綴じ部品掴み部４１ｂにおける構成例及びその動作例（上下移動時）を示す構成図である。
【図１９】（Ａ）〜（Ｄ）は、移動機構４１による綴じ部品４３の取り出し例を示す工程図である。
【図２０】バインド処理部４０の制御系の構成例を示すブロック図である。
【図２１】バインダカセット４２の外観の構成例を示す斜視図である。
【図２２】バインダカセット４２の内部構成例を示す斜視図である。
【図２３】綴じ部品４３の構成例（その１）を示す説明図である。
【図２４】綴じ部品４３の構成例（その２）を示す説明図である。
【図２５】綴じ部品４３の構成例（その３）を示す説明図である。
【図２６】バインド処理部４０の用紙綴じ処理時の移動例を示す構成図である。
【図２７】（Ａ）及び（Ｂ）は、移動機構４１による綴じ処理例を示す工程図である。
【図２８】（Ａ）〜（Ｄ）は、バインド装置１００における冊子作成例を示す工程図である。
【手続補正３７】
【補正対象書類名】図面
【補正対象項目名】図２
【補正方法】変更
【補正の内容】
【図２】
2007069348.tif 000001
【手続補正３８】
【補正対象書類名】図面
【補正対象項目名】図５
【補正方法】変更
【補正の内容】
【図５】
2007069348.tif 000002
【手続補正３９】
【補正対象書類名】図面
【補正対象項目名】図８
【補正方法】変更
【補正の内容】
【図８】
2007069348.tif 000003
【手続補正４０】
【補正対象書類名】図面
【補正対象項目名】図１０
【補正方法】変更
【補正の内容】
【図１０】
2007069348.tif 000004
【手続補正４１】
【補正対象書類名】図面
【補正対象項目名】図１１
【補正方法】変更
【補正の内容】
【図１１】
2007069348.tif 000005
【手続補正４２】
【補正対象書類名】図面
【補正対象項目名】図１２
【補正方法】変更
【補正の内容】
【図１２】
2007069348.tif 000006
【手続補正４３】
【補正対象書類名】図面
【補正対象項目名】図１６
【補正方法】変更
【補正の内容】
【図１６】
2007069348.tif 000007
【手続補正４４】
【補正対象書類名】図面
【補正対象項目名】図２３
【補正方法】変更
【補正の内容】
【図２３】
2007069348.tif 000008
【手続補正４５】
【補正対象書類名】図面
【補正対象項目名】図２５
【補正方法】変更
【補正の内容】
【図２５】
2007069348.tif 000009